(57)【要約】【課題】  建築基材上へ施工する際にタイルユニットからタイルが部分的に脱落することなく、かつ外観不良の生じない、見栄えのよいタイル貼り仕上げとすることを可能とするタイルユニット、および建築基材上への複数のタイルの固定方法を提供すること。【解決手段】  ネット上に複数のタイルが所定の目地間隔で、上下方向に２列周期で同一パターンが現れるように配列固定されたネット付タイルユニットであって、前記複数のタイルの配列は、上下にタイル列の一方の端部が長さＬ突出し、かつ他方の端部が長さＬ引っ込んだ構成とし、前記ネットは長方形又は正方形を基本形状とし、ネットの横の長さは前記タイル列の長さと同一とし、ネットの縦の長さは最上部のタイルの上端部から最下部のタイルの下端部までの長さと略同一とすることを特徴とするタイルユニット。【選択図】  図１
2005256486.tif 000002
【特許請求の範囲】
【請求項１】
ネット上に複数のタイルが所定の目地間隔で、上下方向に２列周期で同一パターンが現れるように配列固定されたネット付タイルユニットであって、前記複数のタイルの配列は、上下に隣り合うタイル列の一方の端部が長さＬ突出し、かつ他方の端部が長さＬ引っ込んだ構成とし、前記ネットは長方形又は正方形を基本形状とし、ネットの横の長さは前記タイル列の長さと略同一とし、ネットの縦の長さは最上部のタイルの上端部から最下部のタイルの下端部までの長さと略同一とすることを特徴とするタイルユニット。
【請求項２】
建築基材上に複数のタイルを固定する方法であって、前記基材上に接着剤を塗布する工程と、その後に、請求項１に記載のタイルユニットのネット取付面側を前記基材の接着剤塗布面に押圧する工程とを備え、前記押圧工程は水平方向に隣接するタイルユニットのネット端部同士が接するようにして押圧することを特徴とする建築基材上への複数のタイルの固定方法。
【発明の詳細な説明】
【技術分野】
【０００１】
本発明は、タイルユニットおよび建築基材上への複数のタイルの固定方法に関する。
【背景技術】
【０００２】
建築基材上への複数のタイルを固定する方法としては、大別して、（１）基材上へタイル固定用の係止構造を有する平滑な金属製のボードを固定し、その上に上記係止構造と係合可能な裏足を有するタイルを引っ掛けていく方法と、（２）紙や樹脂上に複数タイルを所定の目地間隔で澱粉糊等を使用して配列固定したタイルユニットを作製し、このタイルユニットの紙や樹脂が固定しされていない側のタイル面を建築基材上へ接着剤を用いて固定した後に、紙や樹脂を剥がす方法が実施されている。
また、最近、（２）の方法の工数を低減する方法として、網目ネット上に複数タイルを所定の目地間隔で接着剤を使用して配列固定したタイルユニットを作製し、このタイルユニットのネット取付面側を建築基材上へ接着剤を用いて固定する方法も提案されている。（例えば、特許文献１参照。）
【０００３】
図２に示すようなタイルの貼り方を、馬踏み目地状のタイル貼りという。図２では建築基材上に複数のタイルが所定の目地間隔で、上下方向に２列周期で同一パターンが現れるように配列固定されており、上記複数のタイルの配列は、上下に隣り合うタイル列の一方の端部がタイル長さの１／２突出し、かつ他方の端部がタイル長さの１／２引っ込んだ構成となっている。
図２のようなタイル貼りを、紙や樹脂上に複数タイルを所定の目地間隔で澱粉糊等を使用して配列固定したタイルユニットを作製し、このタイルユニットの紙や樹脂が固定されていない側のタイル面を建築基材上へ接着剤を用いて固定する方法で実施する場合、建築基材に固定する際に隣り合うユニットをかみ合わせるために、従来は、図３に示すように、前記紙又は樹脂は長方形又は正方形を基本形状とし、ネットの横の長さは前記隣り合うタイル２列を１つの単位としたときにその両端をともに引っ込んだ部分とした長さと略同一とし、ネットの縦の長さは最上部のタイルの上端部から最下部のタイルの下端部までの長さと略同一としていた。
【特許文献１】特開２０００−９６８０２
【発明の開示】
【発明が解決しようとする課題】
【０００４】
しかしながら、上記方法では、紙や樹脂をタイルユニットから剥がしたときに、紙や樹脂とタイルとを接着していた糊がタイル表面に残存し、施工に、糊固定した部分と糊固定していない部分のタイル外観に違いが生じて外観を損なうという問題があった。
また、特開２０００−９６８０２に示されるネットを利用して馬踏み目地状のタイルユニットを作製した場合、上記紙や樹脂に固定するときと同様に、ネットについて長方形又は正方形を基本形状とし、ネットの横の長さは前記隣り合うタイル２列を１つの単位としたときにその両端をともに引っ込んだ部分とした長さとすと、建築基材に固定する際に、ネットとタイルの接着強度が弱いために、ネットに固定されたタイルが部分的にユニットから脱落し施工しにくいという問題があった。さらに、ネット貼りした部分の目地部にはネットが見え、ネット貼りしていない部分の目地部にはネットが見えない状態になるので、外観むらが生じるという問題も生じた。
【０００５】
本発明では上記事情に鑑みてなされたものであり、建築基材上へ施工する際にタイルユニットからタイルが部分的に脱落することなく、かつ外観不良の生じない、見栄えのよいタイル貼り仕上げとすることを可能とするタイルユニット、および建築基材上への複数のタイルの固定方法を提供することを目的とする。
【課題を解決するための手段】
【０００６】
本発明では、上記課題を解決すべく、ネット上に複数のタイルが所定の目地間隔で、上下方向に２列周期で同一パターンが現れるように配列固定されたネット付タイルユニットであって、前記複数のタイルの配列は、上下に隣り合うタイル列の一方の端部が長さＬ突出し、かつ他方の端部が長さＬ引っ込んだ構成とし、前記ネットは長方形又は正方形を基本形状とし、ネットの横の長さは前記タイル列の長さと略同一とし、ネットの縦の長さは最上部のタイルの上端部から最下部のタイルの下端部までの長さと略同一とすることを特徴とするタイルユニットを提供する。
そうすることにより、ネットとタイルとの接着面積が増すために強度が強くなり、建築基材上へ施工する際にタイルユニットからタイルが部分的に脱落することがなくなる。また、タイル貼りした部分全体が均一の外観とすることができる。
【０００７】
また、本発明では、建築基材上に複数のタイルを固定する方法であって、前記基材上に接着剤を塗布する工程と、その後に、請求項１に記載のタイルユニットのネット取付面側を前記基材の接着剤塗布面に押圧する工程とを備え、前記押圧工程は水平方向に隣接するタイルユニットのネット端部同士が接するようにして押圧することを特徴とする建築基材上への複数のタイルの固定方法を提供する。
そうすることにより、ネットとタイルの接着強度が強いために、建築基材上へ施工する際にタイルユニットからタイルが部分的に脱落することがない。また、タイル貼りした部分全体が均一の外観とすることができる。
【発明の効果】
【０００８】
本発明によれば、建築基材上へ施工する際にタイルユニットからタイルが部分的に脱落することなく、かつ外観不良の生じない、見栄えのよいタイル貼り仕上げとすることを可能とするタイルユニット、および建築基材上への複数のタイルの固定方法を提供することができる。
【発明を実施するための最良の形態】
【０００９】
以下に、本発明の具体的な実施形態について、図に基づき説明する。
図１は、本発明のタイルユニットを、建築基材に取り付ける面側から見た図である。
図１において、複数のタイル１が所定の目地間隔で、上下方向に２列周期で同一パターンが現れるように配列されている。各タイル１はネット２に接着されている。ここで、タイルとネットの接着にはホットメルト接着剤、エポキシ接着剤、アクリル、ウレタン等のエマルジョン接着剤等が好適に利用できる。また、ネットの材質としては、ナイロン、ポリエステル、ビニロン、アクリル、ポリプロピレン、ポリエチレン、アラミド、木綿、人絹、ガラス繊維等が好適に利用できる。複数のタイル１の配列は、上下に隣り合うタイル列の一方の端部が長さＬ突出し、かつ他方の端部が長さＬ引っ込んだ構成となっている。また、ネット２は、長方形又は正方形を基本形状とし、ネットの横の長さは前記タイル列の長さと略同一とし、ネットの縦の長さはタイルユニット最上部のタイルの上端部からタイルユニット最下部のタイルの下端部までの長さと略同一とされている。図１においてはネットの網目形状は正方形であるが、その他、三角形、菱形、六角形等いずれであっても良く、網目は１辺が５ｍｍ以上２ｃｍ以下の範囲であることが好ましい。また、ネットの接着位置はネットの一端をタイルの端部に揃える必要はない。
【００１０】
このような構成とすることで、ネットとタイルの接着強度が強くなり、建築基材上へ施工する際にタイルユニットからタイルが部分的に脱落することがなくなる。また、タイル貼りした部分全体が均一の外観とすることができる。尚、この効果は長さＬがタイル長の１／２となる馬踏み目地状の意匠とするときに最も顕著に現れる。
【００１１】
次に、上記構成のタイルユニットの具体的な作製方法の例を示す。
特定のパターンケース内等で複数のタイルを所定の目地間隔で、上下方向に２列周期で同一パターンが現れるように配列する。その上にネットを長方形又は正方形を基本形状とし、ネットの横の長さは前記タイル列の長さと同一とし、ネットの縦の長さは最上部のタイルの上端部から最下部のタイルの下端部までの長さと略同一となるように配置した後に、接着剤により固定し、パターンケースから引き抜く。尚、ネットには上記の配置をする前に予め接着剤を含浸させておいてもよい。
【００１２】
上記構成のタイルユニットの作製方法における他の例を示す。
特定のパターンケース内等で複数のタイルを所定の目地間隔で、上下方向に２列周期で同一パターンが現れるように配列する。タイルが配列されたパターンケースをベルトコンベアに載置する。ベルトコンベア搬送方向の上流側にはロール状に巻かれたネットがあり、ロールより引き出されたネットは接着剤が塗布され、所定長さにカットされた後、搬送されたパターンケース内のタイル上に配置される。次いで熱ローラーでネットとタイルとを圧着させて固定し、パターンケースより引き抜く。
【００１３】
次に、上記構成のタイルユニットは、建築基材上へ固定して使用する。以下に、タイルユニットの建築基材への固定方法の例を示す。
まず、建築基材上のタイル貼りしたい部分に接着剤を塗布する。次いで、上記タイルユニットのネット取付面側を前記基材の接着剤塗布面に押圧する。この押圧の作業は水平方向に隣接するタイルユニットのネット端部同士が接するようにして行う。上記タイルユニットでは、この作業時にネットとタイルの接着強度が強いため、建築基材上へ施工する際にタイルユニットからタイルが部分的に脱落することがない。
また、このように施工されると、タイル貼りした部分全体が均一の外観とすることができる。尚、この効果は長さＬがタイル長の１／２となる馬踏み目地状の意匠とするときに最も顕著に現れる。
【図面の簡単な説明】
【００１４】
【図１】本発明のタイルユニットの一実施形態を示す図。
【図２】馬踏み目地状のタイル貼り状態を説明する図。
【図３】従来の紙ユニットを示す図。
【符号の説明】
【００１５】
１…タイル
２…ネット
【図１】
2005256486.tif 000003
【図２】
2005256486.tif 000004
【図３】
2005256486.tif 000005